(57)【要約】【課題】  可動ノーズの起立姿勢での操作感触を高め、且つ傾倒姿勢からの起立動作も円滑に行える車載用機器の前面パネル装置を提供すること。【解決手段】  スライダ１６の前後進動作に伴って可動ノーズ１２が起立姿勢と傾倒姿勢との間を回動する前面パネル装置において、可動ノーズ１２の回動途中で付勢方向が逆転するコイルばね１３を用い、可動ノーズ１２が起立姿勢にある時に、可動ノーズ１２の支軸２０に軸支されたギヤ１４を前面パネル１１に形成されたラック溝１７の歯部１７ａにコイルばね１３の蓄力で圧接することにより、支軸２０に支持されたガイドローラ１５を前面パネル１１のガイド溝１８の後方側壁面に押し付け、可動ノーズ１２が傾倒姿勢にある時、このコイルばね１３の逆向きの蓄力によって可動ノーズ１２を起立方向へ付勢するようにした。【選択図】      図３
2005075025.tif 000002
【特許請求の範囲】
【請求項１】
本体装置の前面部に固設された前面パネルと、この前面パネルの前方に配置された可動ノーズと、この可動ノーズの側面下部に回動自在に連結されたスライド部材とを備え、前記スライド部材を前記本体装置の前後方向へ移動することにより、前記可動ノーズが該スライド部材との連結部を支点に回動して起立姿勢と傾倒姿勢との間を移動する車載用機器の前面パネル装置において、
前記可動ノーズにその回動途中で付勢方向が逆転するばね部材を装着し、前記可動ノーズが起立姿勢にある時、前記ばね部材によって該可動ノーズを前記前面パネルに押し付ける方向へ付勢し、前記可動ノーズが傾倒姿勢にある時、前記ばね部材によって該可動ノーズを起立方向へ付勢するように構成したことを特徴とする車載用機器の前面パネル装置。
【請求項２】
請求項１の記載において、前記前面パネルの側壁部に上下方向へ延びるラック溝を設け、このラック溝の歯部に噛合するギヤを前記可動ノーズの側面上部に突設した支軸に回動自在に支持すると共に、前記ばね部材であるコイルばねの両端を前記可動ノーズの側面と前記ギヤとにそれぞれ掛止し、前記可動ノーズが起立姿勢と傾倒姿勢の途中にある時に、前記コイルばねが巻き締め方向と巻き戻し方向のいずれにも蓄力されていない自由状態となるように設定されていることを特徴とする車載用機器の前面パネル装置。
【請求項３】
請求項２の記載において、前記ラック溝の前方側壁面に前記歯部を形成したことを特徴とする車載用機器の前面パネル装置。
【請求項４】
請求項２または３の記載において、前記支軸に前記ギヤとガイドローラとを回動自在に支持し、このガイドローラを前記ラック溝の内部に設けたガイド溝に挿入したことを特徴とする車載用機器の前面パネル装置。
【請求項５】
請求項１の記載において、前記可動ノーズの側方に前記ばね部材である捩りコイルばねを配設すると共に、この捩りコイルばねの巻回部から突出する一対の腕部を前記スライド部材と前記可動ノーズとにそれぞれ掛止し、前記可動ノーズが起立姿勢と傾倒姿勢の途中にある時に、前記捩りコイルばねの両腕部が狭まり方向と拡がり方向のいずれにも蓄力されていない自由状態となるように設定されていることを特徴とする車載用機器の前面パネル装置。
【発明の詳細な説明】
【技術分野】
【０００１】
本発明は、車載用の音響機器や映像機器等で本体装置の前面部に組み付けられる前面パネル装置に係り、特に、その下部側が前後方向へ駆動されて起立姿勢と傾倒姿勢とが選択可能な可動ノーズを備えた車載用機器の前面パネル装置に関する。
【背景技術】
【０００２】
一般的に、車載用として組み込まれている音響機器や映像機器では、本体装置の前面部に固設された前面パネルに各種操作キーや表示部およびメディア挿入口等が配設されているが、近年の多機能化に伴って表示部が大型化したり操作キーの数が増加してくると、これら表示部や操作キーおよびメディア挿入口等のすべてを前面パネルの限られたスペース内に配置させることは困難となってくる。そこで従来より、前面パネルの前方に起立姿勢と傾倒姿勢とが選択可能な可動ノーズを配置し、この可動ノーズをスライド部材の往復移動に連動して回動させることにより、可動ノーズが起立している時には前面パネルのメディア挿入口が覆い隠され、可動ノーズをある程度傾倒させると該メディア挿入口が露出するように構成した前面パネル装置が提案されている（例えば特許文献１参照）。
【０００３】
図１２はかかる従来技術を説明するためのもので、同図に示すように、箱形のシャーシ１の前面部には前面パネル２が取り付けられており、この前面パネル２には第１の挿入口３と第２の挿入口４が上下二段に開設されると共に、前面パネル２の左右両内側壁には上下方向へ延びるガイド溝２ａが形成されている。第１の挿入口３は例えばＣＤを挿入・排出するための開口であり、第２の挿入口４は例えばテープカセットを挿入・排出するための開口である。前面パネル２の凹所内には可動ノーズ５が配置されており、図示省略されているが、この可動ノーズ５の表面には液晶ディスプレイ（表示部）や複数の操作キーが配設されている。また、可動ノーズ５の両側面にはガイドピン５ａと支軸５ｂが上下方向に所定の間隔をおいて突設されており、ガイドピン５ａは前面パネル２のガイド溝２ａと移動可能に係合している。シャーシ１の内底面にはスライダ６が載置されており、このスライダ６は図示せぬモータを駆動源としてシャーシ１の前後方向に往復移動される。スライダ６の先端には斜め上方へ突出する連結部６ａが形成されており、これら連結部６ａの外側からねじ７を両支軸５ｂに締着することにより、可動ノーズ５とスライダ６は両支軸５ｂを回動支点として回動可能に連結されている。また、両支軸５ｂにはそれぞれ捩りコイルばね８の巻回部が挿入されており、これら捩りコイルばね８の腕部は可動ノーズ５の側面とスライダ６の連結部６ａとに掛止されている。
【０００４】
このように構成された前面パネル装置において、可動ノーズ５が図１２の実線で示す起立姿勢にある時、前面パネル２に開設された第１および第２の挿入口３，４は可動ノーズ５によって覆い隠されており、スライダ６は後退位置に引き込まれている。この状態で図示せぬモータを一方向へ回転させてスライダ６を前進させると、可動ノーズ５の下部はスライダ６と共に前進するが、ガイドピン５ａがガイド溝２ａに沿って上端から下端方向へ移動するため、可動ノーズ５は両支軸５ｂを回動支点として回動しながらその下部側が前方へせり出し、図１２の２点鎖線で示すように傾倒姿勢となる。その際、可動ノーズ５の回動動作に伴って捩りコイルばね８の腕部の開放角度は次第に狭められていくため、その反力によってガイドピン５ａはガイド溝２ａ内をゆっくりと下降し、可動ノーズ５が自重によって傾倒姿勢の直前で急激に倒れ込むことを防止できる。そして、可動ノーズ５がある程度傾倒すると前面パネル２の第１および第２の挿入口３，４が露出するので、これら挿入口３，４内へＣＤやテープカセット等のメディアを挿入したり該挿入口３，４からメディアを排出させることが可能となる。また、こうして可動ノーズ５が傾倒姿勢に保持されている状態で、モータを逆方向へ回転させてスライダ６を後退させると、可動ノーズ５の下部が後退して上部が上昇していくため、次第に可動ノーズ５は起立していき、可動ノーズ５がある程度起立すると前面パネル２の第１および第２の挿入口３，４が覆い隠される。その際、スライダ６は傾倒姿勢にある可動ノーズ５を起立させるのに大きな力を要するが、十分に撓められた捩りコイルばね８の反力が可動ノーズ５を起立させる方向へ作用しているため、可動ノーズ５の起立方向への回動動作が捩りコイルばね８によって補足される。
【０００５】
上記した従来既知の前面パネル装置においては、起立状態の可動ノーズ５の全面を表示領域やキー操作領域として活用することができ、メディアの挿入時や排出時のみ可動ノーズ５を傾倒させて挿入口３，４を露出させればよいので、限られたスペース内に比較的大型の表示部や多数の操作キーを配設できる。また、可動ノーズ５とスライダ６の連結部分である支軸５ｂに捩りコイルばね８を巻装し、この捩りコイルばね８の弾発力によって可動ノーズ５を起立方向へ常時付勢しているので、可動ノーズ５のガイドピン５ａが捩りコイルばね８の弾発力によってガイド溝２ａの壁面に押し付けられ、ガイドピン５ａがガイド溝２ａの側壁に衝突して発生するラットルノイズを抑制できる。さらに、傾倒姿勢にある可動ノーズ５を起立させる時の力が捩りコイルばね８によって補足されるため、可動ノーズ５を起立方向へスムーズに回動させることができる。
【特許文献１】特開２０００−７６８３８号公報（第３−４頁、図１）
【発明の開示】
【発明が解決しようとする課題】
【０００６】
ところで、前述した従来の前面パネル装置では、捩りコイルばね８の巻回部を可動ノーズ５とスライダ６の連結部分である支軸５ｂに巻装し、この捩りコイルばね８の弾発力によって可動ノーズ５を起立方向へ常時付勢しているので、可動ノーズ５が図１２の実線で示す起立姿勢にある時、ガイドピン５ａは捩りコイルばね８の弾発力によってガイド溝２ａの前方側壁面に押し付けられ、ガイドピン５ａとガイド溝２ａの後方側壁面との間にクリアランスが発生することになる。すなわち、捩りコイルばね８の弾発力は可動ノーズ５の姿勢に応じて変化し、可動ノーズ５の傾倒時に最大で起立時に最小となるが、捩りコイルばね８の付勢方向は可動ノーズ５の姿勢に拘わらず同一方向であるため、可動ノーズ５が起立姿勢にある時にその表面に配設された操作キーやタッチパネル式のディスプレイを押圧操作すると、ガイドピン５ａが捩りコイルばね８の弾発力に抗して上記クリアランス内を後方へ移動してしまい、可動ノーズ５が押圧方向に若干沈み込んで操作感触を損ねるという問題があった。
【０００７】
本発明は、このような従来技術の実情に鑑みてなされたもので、その目的は、可動ノーズの起立姿勢での操作感触を高め、且つ傾倒姿勢からの起立動作も円滑に行える車載用機器の前面パネル装置を提供することにある。
【課題を解決するための手段】
【０００８】
本発明は、可動ノーズの回動途中で付勢方向が逆転するばね部材を用い、このばね部材によって起立時の可動ノーズを前面パネルに押し付ける方向へ付勢し、傾倒時にも可動ノーズを起立方向へ付勢するようにした。このような構成を採用すると、起立姿勢にある可動ノーズの表面に配設された操作キーやタッチパネル等をユーザが押圧操作した場合、その押圧方向とばね部材による可動ノーズの前面パネルへの押し付け方向とが一致しているため、可動ノーズが押圧操作力によって沈み込むことを防止でき、しかも、このばね部材は傾倒姿勢にある可動ノーズを起立させる時のアシスト力として機能するため、可動ノーズを起立方向へスムーズに回動させることができる。
【発明の効果】
【０００９】
本発明による車載用機器の前面パネル装置は、可動ノーズの回動途中で付勢方向が逆転するばね部材を用い、このばね部材によって起立時の可動ノーズを前面パネルに押し付ける方向へ付勢し、傾倒時の可動ノーズを起立方向へ付勢するようにしたので、起立姿勢にある可動ノーズの表面に配設された操作キーやタッチパネル等をユーザが押圧操作した場合でも、その押圧方向とばね部材による可動ノーズの前面パネルへの押し付け方向とが一致していることで可動ノーズの沈み込みを防止でき、しかも、このばね部材は傾倒姿勢にある可動ノーズを起立させる時のアシスト力としても機能するため、可動ノーズを起立方向へスムーズに回動させることができる。
【発明を実施するための最良の形態】
【００１０】
本発明は、本体装置の前面部に固設された前面パネルと、この前面パネルの前方に配置された可動ノーズと、この可動ノーズの側面下部に回動自在に連結されたスライド部材とを備え、前記スライド部材を前記本体装置の前後方向へ移動することにより、前記可動ノーズが該スライド部材との連結部を支点に回動して起立姿勢と傾倒姿勢との間を移動する車載用機器の前面パネル装置において、前記可動ノーズにその回動途中で付勢方向が逆転するばね部材を装着し、前記可動ノーズが起立姿勢にある時、前記ばね部材によって該可動ノーズを前記前面パネルに押し付ける方向へ付勢し、前記可動ノーズが傾倒姿勢にある時、前記ばね部材によって該可動ノーズを起立方向へ付勢するように構成した。
【００１１】
このように構成された前面パネル装置では、起立姿勢にある可動ノーズがばね部材によって前面パネルに押し付けられているので、ユーザが可動ノーズの表面に配設された操作キーやタッチパネル等を押圧操作し、可動ノーズに前面パネルに向けて押し付けられる方向の外力が作用したとしても、可動ノーズの押圧方向への沈み込みを防止して操作感触を高めることができ、しかも、このばね部材は傾倒姿勢にある可動ノーズを起立させる時のアシスト力としても機能するため、可動ノーズを起立方向へスムーズに回動させることができる。
【００１２】
このようなばね部材の具体的な形態として、前面パネルの側壁部に上下方向へ延びるラック溝を設け、このラック溝の歯部に噛合するギヤを可動ノーズの側面上部に突設した支軸に回動自在に支持すると共に、ばね部材であるコイルばねの両端を可動ノーズの側面とギヤとにそれぞれ掛止し、可動ノーズが起立姿勢と傾倒姿勢の途中にある時に、コイルばねが巻き締め方向と巻き戻し方向のいずれにも蓄力されていない自由状態となるように設定すると、可動ノーズの回動途中を境にしてコイルばねの付勢方向が逆転するため、このコイルばねによって可動ノーズの起立姿勢での操作感触を高めて起立動作も円滑に行うことができる。その際、コイルばねの付勢力で起立姿勢にある可動ノーズを前面パネルに押し付けるためには、ラック溝の前方側壁面に形成した歯部にギヤを噛合させることが好ましい。
【００１３】
また、上記の構成において、支軸にギヤとガイドローラとを回動自在に支持し、このガイドローラをラック溝の内部に設けたガイド溝に挿入することが好ましく、このような構成を採用した場合、可動ノーズの起立時にギヤがコイルばねの付勢力でラック溝の歯部に押し付けられると、その反力でギヤと同軸的に支軸に支持されたガイドローラがガイド溝の後方側壁面に押し付けられるため、起立姿勢にある可動ノーズを前面パネルに効果的に押し付けることができる。
【００１４】
また、上記ばね部材の他の具体的な形態として、可動ノーズの側方にばね部材である捩りコイルばねを配設すると共に、この捩りコイルばねの巻回部から突出する一対の腕部をスライド部材と可動ノーズとにそれぞれ掛止し、可動ノーズが起立姿勢と傾倒姿勢の途中にある時に、捩りコイルばねの両腕部が狭まり方向と拡がり方向のいずれにも蓄力されていない自由状態となるように設定すると、可動ノーズの回動途中を境にして捩りコイルばねの付勢方向が逆転するため、この捩りコイルばねによって可動ノーズの起立姿勢での操作感触を高めて起立動作も円滑に行うことができる。
【実施例】
【００１５】
以下、発明の実施例を図面を参照して説明すると、図１は本発明の第１実施例に係る前面パネル装置の側面図、図２は該前面パネル装置の要部斜視図、図３は該前面パネル装置の要部断面図、図４は該前面パネル装置に備えられるギヤとラック溝の説明図、図５は可動ノーズの起立姿勢におけるギヤとラック溝の説明図、図６は同実施例で可動ノーズを起立させた状態を示す説明図、図７は該可動ノーズを途中まで傾倒させた状態を示す説明図、図８は該可動ノーズを最大量傾倒させた状態を示す説明図である。
【００１６】
これらの図に示す前面パネル装置は、車載用の音響機器や映像機器等で本体装置１０の前面部に組み付けられた装置であり、本体装置１０の前面部に固設された前面パネル（エスカッション）１１と、この前面パネル１１の前方に配置されて起立姿勢と傾倒姿勢とを選択可能な可動ノーズ１２と、この可動ノーズ１２の左右両側に配置されているコイルばね１３とギヤ１４およびガイドローラ１５と、本体装置１０に対して前後方向に往復移動可能なスライダ１６と、図示せぬ歯車列を介してスライダ１６を前後進させる駆動源である図示せぬモータとによって主に構成されている。本体装置１０は、金属板から折曲形成された箱形のシャーシ１０ａ内に、後述するメディアに情報を記録および／または再生するためのドライブ装置等が収容されて構成されている。
【００１７】
前面パネル１１にはＣＤやＤＶＤ等のメディアを挿入・排出するための図示せぬメディア挿入口が開設されており（図１２の符号３，４参照）、また、前面パネル１１の左右両側には前方へ突出する側板部１１ａが一体または別体で設けられている。この側板部１１ａには上下方向へ延びるラック溝１７が形成されると共に、ラック溝１７の内面側（側方）に同じく上下方向へ延びるガイド溝１８が形成されており、ラック溝１７はその前方側壁面に上下方向に連続する多数の歯部１７ａを有している。なお、図６〜図８において前面パネル１１の右側の側板部１１ａに形成されたガイド溝１８は図示省略されているが、これは説明の都合上、右側の側板部１１ａを破断して示しているからであり、実際には当該部分にも図示左側の側板部１１ａと同様に上下方向へ延びるラック溝１７とガイド溝１８が形成されている。
【００１８】
可動ノーズ１２の前面には比較的大型の表示部１９や図示せぬ操作キーが配設されており、本実施例の場合、表示部１９はタッチパネル式のディスプレイとなっている。図２と図３に示すように、この可動ノーズ１２の左右両側面の上部には支軸２０が突設されており、支軸２０にはコイルばね１３とギヤ１４およびガイドローラ１５が順次挿入されている。最も外側に位置するガイドローラ１５は前面パネル１１のガイド溝１８内に挿入されており、これらガイドローラ１５とガイド溝１８との間にはクリアランスが確保されている。また、ギヤ１４の一端面にはフランジ１４ａが形成されており、このギヤ１４は前面パネル１１のラック溝１７内に挿入されて歯部１７ａと噛合している。ギヤ１４とラック溝１７の後方側壁面との間にはクリアランスが確保されており、フランジ１４ａは側板部１１ａの内面と対向している。さらに、コイルばね１３の両端部は可動ノーズ１２の側面とギヤ１４の端面にそれぞれ差し込まれて掛止されており、このコイルばね１３はギヤ１４の回転に伴って巻き締めまたは巻き戻し方向に蓄力されるようになっている。
【００１９】
すなわち、ギヤ１４は歯部１７ａに噛合して回転しながらラック溝１７内を上下方向へ移動するが、図４（ａ）に示すように、ギヤ１４が上方の歯部１７ａに噛合している場合、コイルばね１３は一方向（例えば巻き戻し方向）に十分に蓄力されており、ギヤ１４はこのコイルばね１３の蓄力により矢印Ａ方向に回動付勢されて歯部１７ａと噛合している。そして、ギヤ１４がラック溝１７内を下降していくと、コイルばね１３の一方向への蓄力は次第に小さくなり、同図（ｂ）に示すように、ギヤ１４が中央付近の歯部１７ａに噛合する時点で、コイルばね１３は巻き締め方向と巻き戻し方向のいずれにも蓄力されない自由状態となる。さらにギヤ１４がラック溝１７内を下降していくと、コイルばね１３は自由状態を境にして逆方向（巻き締め方向）に次第に蓄力されていき、同図（ｃ）に示すように、ギヤ１４が下方の歯部１７ａに噛合する位置まで移動すると、コイルばね１３は他方向に十分に蓄力された状態となり、ギヤ１４はこのコイルばね１３の蓄力により矢印Ｂ方向に回動付勢されて歯部１７ａと噛合する。
【００２０】
また、可動ノーズ１２の左右両側面の下部には連結ピン２１が突設されており、スライダ１６の前端部はこの連結ピン２１に回動自在に連結されている。そして、このスライダ１６を前記モータを駆動源としてシャーシ１０ａ内外へ前後進させることにより、可動ノーズ１２の傾倒動作や起立動作が行われ、それに伴って可動ノーズ１２は図１の実線で示す起立姿勢と同図の２点鎖線で示す傾倒姿勢の間を回動するようになっている。
【００２１】
このように構成された前面パネル装置において、スライダ１６が後退位置に引き込まれている時、図６に示すように可動ノーズ１２は起立姿勢に保持されているため、前面パネル１１の図示せぬメディア挿入口は可動ノーズ１２に覆い隠されている。この場合、ギヤ１４はラック溝１７の上方の歯部１７ａに噛合しており、図４（ａ）に示すように、ギヤ１４はコイルばね１３の蓄力により矢印Ａ方向に回動付勢されて歯部１７ａと噛合しているため、図５に示すように、ギヤ１４の歯と歯部１７ａの当接部分に矢印Ｐなる反力が発生し、その分力Ｐ１によってギヤ１４がラック溝１７の後方へ付勢されている。すなわち、ギヤ１４に作用する分力Ｐ１によって可動ノーズ１２の支軸２０が後方へ付勢されているため、支軸２０の先端に軸支されたガイドローラ１５が前面パネル１１のガイド溝１８の後方側壁面に押し付けられており（図３参照）、可動ノーズ１２は前面パネル１１に対して後方への移動が規制された状態となっている。したがって、このように可動ノーズ１２が起立姿勢にある時にタッチパネル式の表示部１９の入力操作や図示せぬ操作キーの押圧操作を行ったとしても、可動ノーズ１２が押圧方向（後方）に沈み込むことはなく、ユーザはこれらの操作を操作感触の悪化を伴うことなく行うことができる。
【００２２】
また、かかる可動ノーズ１２の起立状態で前記モータを一方向へ回転させてスライダ１６を前進させると、可動ノーズ１２の下部はスライダ１６と共に前進するが、可動ノーズ１２の上部はギヤ１４がラック溝１７の歯部１７ａに噛合して回転しながら下降していくので、全体として可動ノーズ１２は次第に傾倒していく。そして、図７に示すように可動ノーズ１２が約４５度程度まで傾倒すると、図４（ｂ）に示すように、コイルばね１３は巻き締め方向と巻き戻し方向のいずれにも蓄力されない自由状態となり、この状態を経て可動ノーズ１２は図８に示すように最大角度まで傾倒する。その際、コイルばね１３には自由状態を境にして可動ノーズ１２の起立時と逆向きの付勢力が次第に蓄力されていくので、可動ノーズ１２が最大角度まで傾倒すると、図４（ｃ）に示すように、ギヤ１４はコイルばね１３の蓄力により矢印Ｂ方向に回動付勢された状態となる。なお、可動ノーズ１２が最大角度まで傾倒すると、前面パネル１１の図示せぬメディア挿入口が露出されるため、この挿入口に対してＣＤやＤＶＤ等のメディアを挿入・排出することができる。
【００２３】
また、こうして可動ノーズ１２が傾倒姿勢に保持されている状態で、前記モータを逆方向へ回転させてスライダ１６を後退させると、可動ノーズ１２の下部が後退して上部が上昇していくため、次第に可動ノーズ１２は起立していき、可動ノーズ１２がある程度起立した時点で前面パネル１１のメディア挿入口は覆い隠される。その際、スライダ１６は最大角度まで傾倒している可動ノーズ１２を起立させるのに大きな力を要するが、ギヤ１４を図４（ｃ）の矢印Ｂ方向に回動付勢するコイルばね１３の蓄力は可動ノーズ１２を起立させる方向へのアシスト力として作用するため、可動ノーズ１２を起立方向へスムーズに回動させることができる。
【００２４】
上述した第１実施例では、可動ノーズ１２の左右両側面に突設した支軸２０にギヤ１４を軸支すると共に、ばね部材であるコイルばね１３の両端を可動ノーズ１２とギヤ１４とにそれぞれ掛止し、可動ノーズ１２が起立姿勢と傾倒姿勢の途中にある時に、コイルばね１３が巻き締め方向と巻き戻し方向のいずれにも蓄力されていない自由状態となるように組み込んだので、可動ノーズ１２の回動途中を境にしてコイルばね１３の付勢方向を逆転させることができる。したがって、可動ノーズ１２が起立姿勢にある時に該可動ノーズ１２の一部をコイルばね１３の付勢力で前面パネル１１の一部に押し付けることにより、外部振動に起因するラットルノイズの発生を抑えることができるのみならず、ユーザが可動ノーズ１２の表面に配設されたタッチパネル式の表示部１９や操作キー等を押圧操作した場合でも、可動ノーズ１２が押圧方向へ沈み込むという操作感触の悪化を防止できる。しかも、このコイルばね１３は可動ノーズ１２の回動途中を境にして付勢方向が逆転し、可動ノーズ１２が傾倒姿勢にある時に該可動ノーズ１２を起立動作させるアシスト力として機能するため、可動ノーズ１２を起立方向へスムーズに回動させることができる。
【００２５】
また、上記第１実施例では、可動ノーズ１２の支軸２０にギヤ１４とガイドローラ１５を同軸的に支持すると共に、これらギヤ１４およびガイドローラ１５が挿入されるラック溝１７とガイド溝１８を前面パネル１１に連続的に形成し、可動ノーズ１２が起立姿勢にある時に、コイルばね１３によってラック溝１７の歯部１７ａに圧接されるギヤ１４の反力を利用して、ガイドローラ１５がガイド溝１８の後方側壁面に押し付けられるようにしたので、コイルばね１３によって可動ノーズ１２の一部（ガイドローラ１５）を前面パネル１１に効果的に押し付けることができる。
【００２６】
なお、上記第１実施例では、起立姿勢にある可動ノーズ１２の後方への沈み込みを防止する手段として、可動ノーズ１２の支軸２０に軸支されたガイドローラ１５を前面パネル１１に形成されたガイド溝１８の後方側壁面に押し付ける場合について説明したが、可動ノーズ１２のガイドローラ１５以外の部位を前面パネル１１に押し付けるようにしても良い。
【００２７】
図９〜図１１は本発明の第２実施例に係る前面パネル装置を説明するもので、図９は同実施例で可動ノーズを起立させた状態を示す説明図、図１０は該可動ノーズを途中まで傾倒させた状態を示す説明図、図１１は該可動ノーズを最大量傾倒させた状態を示す説明図であり、図１〜図８に対応する部分には同一符号を付してある。
【００２８】
図９〜図１１に示す前面パネル装置は、可動ノーズ１２の左右両側面の下部に捩りコイルばね２２を配設し、この捩りコイルばね２２の付勢方向を可動ノーズ１２の回動途中で逆転させるようにした点が、前述した第１実施例と大きく異なっている。この捩りコイルばね２２は巻回部２２ａから突出する一対の腕部２２ｂ，２２ｃを有しており、一方の腕部２２ｂは可動ノーズ１２の側面下部に突設したピン２３に掛止され、他方の腕部２２ｃはスライダ１６の前端部内面に突設したピン２４に掛止されている。そして、図１０に示すように可動ノーズ１２が起立姿勢と傾倒姿勢の途中にある時に、捩りコイルばね２２の腕部２２ｂ，２２ｃが狭まり方向と拡がり方向のいずれにも付勢されていない自由状態となるように設定されている。なお、前面パネル１１の両側板部１１ａには上下方向へ延びるガイド溝１８が形成されており、可動ノーズ１２の支軸２０に軸支されたガイドローラ１５がこのガイド溝１８内に挿入されている。
【００２９】
このように構成された前面パネル装置において、図９に示すように可動ノーズ１２が起立姿勢に保持されている時、ガイドローラ１５はガイド溝１８の上端位置にあり、捩りコイルばね２２の両腕部２２ｂ，２２ｃの開放角度は自由状態に比べて拡がっているため、捩りコイルばね２２に自由状態に戻ろうとする復帰力が蓄えられている。かかる捩りコイルばね２２の復帰力は可動ノーズ１２を傾倒方向へ付勢し、それによって可動ノーズ１２が前面パネル１１に対して矢印Ｃ方向へ付勢されるため、ガイドローラ１５が前面パネル１１のガイド溝１８の後方側壁面に押し付けられ、可動ノーズ１２は後方への移動が規制された状態となっている。したがって、可動ノーズ１２が起立姿勢にある時、ラットルノイズの発生が捩りコイルばね２２によって抑えられると共に、タッチパネル式の表示部１９の入力操作や図示せぬ操作キーの押圧操作を行った場合でも、可動ノーズ１２の押圧方向への沈み込みが捩りコイルばね２２によって防止され、ユーザはこれらの操作を操作感触の悪化を伴うことなく行うことができる。
【００３０】
また、スライダ１６を前進させて可動ノーズ１２が傾倒していくと、捩りコイルばね２２の両腕部２２ｂ，２２ｃの開放角度が次第に狭められていき、図１０に示すように可動ノーズ１２が約４５度程度まで傾倒すると、連結ピン２１と両ピン２３，２４が一直線上に並んだデッドポイントとなり、このデッドポイントで捩りコイルばね２２は狭まり方向と拡がり方向のいずれにも付勢されない自由状態となる。そして、可動ノーズ１２がデッドポイントを越えてさらに傾倒していくと、捩りコイルばね２２の両腕部２２ｂ，２２ｃの開放角度が次第に拡げられていき、図１１に示すように可動ノーズ１２は最大角度まで傾倒する。この場合、可動ノーズ１２の起立時と同様に捩りコイルばね２２の両腕部２２ｂ，２２ｃの開放角度は自由状態に比べて拡がっているが、連結ピン２１と両ピン２３，２４の位置関係が異なっているため、捩りコイルばね２２の復帰力は可動ノーズ１２を矢印Ｄ方向へ付勢する。すなわち、連結ピン２１とスライダ１６側のピン２４を結ぶ直線Ｌに対して可動ノーズ１２側のピン２３が上方にある場合、捩りコイルばね２２は可動ノーズ１２を傾倒させる方向（図９の矢印Ｃ方向）へ付勢しているが、可動ノーズ１２側のピン２３が上記直線Ｌを越えて下方に位置すると、捩りコイルばね２２は可動ノーズ１２を起立させる（図１１の矢印Ｄ方向）方向へ付勢することになる。したがって、この捩りコイルばね２２の蓄力（弾性復帰力）は傾倒姿勢にある可動ノーズ１２を起立動作させるアシスト力として機能し、可動ノーズ１２を起立方向へスムーズに回動させることができる。
【００３１】
このように上述した第２実施例では、可動ノーズ１２の左右両側面にばね部材である捩りコイルばね２２を配設すると共に、この捩りコイルばね２２の巻回部２２ａから突出する一対の腕部２２ｂ，２２ｃを可動ノーズ１２の側面下部に突設したピン２３とスライダ１６の前端部内面に突設したピン２４とにそれぞれ掛止し、可動ノーズ１２が起立姿勢と傾倒姿勢の途中にある時に、捩りコイルばね２２の両腕部２２ｂ，２２ｃが狭まり方向と拡がり方向のいずれにも蓄力されていない自由状態となるように組み込んだので、可動ノーズ１２の回動途中を境にして捩りコイルばね２２の付勢方向を逆転させることができる。したがって、可動ノーズ１２が起立姿勢にある時に、ガイドローラ１５を捩りコイルばね２２の付勢力で前面パネル１１のガイド溝１８の後方側壁面に押し付けることにより、外部振動に起因するラットルノイズの発生を抑えることができるのみならず、ユーザが可動ノーズ１２の表面に配設されたタッチパネル式の表示部１９や操作キー等を押圧操作した場合でも、可動ノーズ１２が押圧方向へ沈み込むという操作感触の悪化を防止できる。しかも、この捩りコイルばね２２の付勢力は可動ノーズ１２の回動途中を境にして付勢方向が逆転し、可動ノーズ１２が傾倒姿勢にある時に該可動ノーズ１２を起立動作させるアシスト力として機能するため、可動ノーズ１２を起立方向へスムーズに回動させることができる。なお、捩りコイルばね２２の一対の腕部２２ｂ，２２ｃの掛止箇所は特に限定されるものではなく、一端が可動ノーズ１２に掛止され、他端がスライダ１６に掛止されて上述したように付勢方向が逆転する構成であれば、いずれの箇所に掛止されていても良い。
【図面の簡単な説明】
【００３２】
【図１】本発明の第１実施例に係る前面パネル装置の側面図である。
【図２】該前面パネル装置の要部斜視図である。
【図３】該前面パネル装置の要部を示す断面図である。
【図４】該前面パネル装置に備えられるギヤとラック溝の説明図である。
【図５】可動ノーズの起立姿勢におけるギヤとラック溝の説明図である。
【図６】可動ノーズを起立させた状態を示す説明図である。
【図７】可動ノーズを途中まで傾倒させた状態を示す説明図である。
【図８】可動ノーズを最大量傾倒させた状態を示す説明図である。
【図９】本発明の第２実施例に係る前面パネル装置の可動ノーズを起立させた状態を示す説明図である。
【図１０】該可動ノーズを途中まで傾倒させた状態を示す説明図である。
【図１１】該可動ノーズを最大量傾倒させた状態を示す説明図である。
【図１２】従来技術を示す説明図である。
【符号の説明】
【００３３】
１０  本体装置
１１  前面パネル
１１ａ  側板部
１２  可動ノーズ
１３  コイルばね（ばね部材）
１４  ギヤ
１４ａ  フランジ
１５  ガイドローラ
１６  スライダ
１７  ラック溝
１７ａ  歯部
１８  ガイド溝
１９  表示部
２０  支軸
２１  連結ピン
２２  捩りコイルばね（ばね部材）
２２ａ  巻回部
２２ｂ，２２ｃ  腕部
２３，２４  ピン
【図１】
2005075025.tif 000003
【図２】
2005075025.tif 000004
【図３】
2005075025.tif 000005
【図４】
2005075025.tif 000006
【図５】
2005075025.tif 000007
【図６】
2005075025.tif 000008
【図７】
2005075025.tif 000009
【図８】
2005075025.tif 000010
【図９】
2005075025.tif 000011
【図１０】
2005075025.tif 000012
【図１１】
2005075025.tif 000013
【図１２】
2005075025.tif 000014